(57)【要約】【課題】照明装置を小型化し、かつ、汎用性の高いプルスイッチ付きの照明装置を提供する。【解決手段】照明装置１０００は、底面部１１２、側壁部１１３−１、１１３−２から成る凹部１１１を有する器具本体１００と、凹部１１１に取り付けられる光源ユニット２００と、凹部１１１に収納され、側壁部１１３−２から側壁部１１３−１に向かう引張方向に引っ張られる引っ張り部１４３を有し、引っ張り部１４３が張方向に引っ張られるたびに、光源ユニット２００への電力の供給と遮断とを切り替えるプルスイッチ１４０と、凹部１１１の内部から外部に向けて側壁部１１３−１に形成された貫通孔１１３Ｈを通り抜けるワイヤー１５０であって、ワイヤー側連結部１５１がプルスイッチ１４０の引っ張り部１４３の引っ張り端部１４３ａに接続され、側壁貫通孔１１３Ｈを通り抜けた部分が屈曲されて側壁部１１３−１の立ち上がる方向に延びるワイヤー１５０を備えた。【選択図】図５
2019050227.tif 000002
【特許請求の範囲】
【請求項１】
光源ユニットと、
前記光源ユニットが取り付けられる凹部を有する器具本体と、
引っ張り部を有し、前記凹部に取り付けられたプルスイッチと、
を備え、
前記光源ユニットは、
光源モジュールと、
前記光源モジュールが取り付けられる取付面部と前記取付面部の両側に位置する一対の側面部とを有する取付部材と、
を有し、
前記プルスイッチは、
前記光源ユニットが前記器具本体に取り付けられた状態において、前記一対の側面部の間に挟まれて配置され、前記引っ張り部の可動方向が、前記取付面部に沿う方向となる照明装置。
【発明の詳細な説明】
【技術分野】
【０００１】
この発明は照明装置に関する。
【背景技術】
【０００２】
長尺状の光源ユニットに、光源と電源とを備え、この光源ユニットが着脱自在に器具本体に取り付けられる照明装置がある（例えば、特許文献１参照）。
【先行技術文献】
【特許文献】
【０００３】
【特許文献１】特許第５４８６７２７号公報
【特許文献２】実開平３−３３９０９号公報
【特許文献３】実開昭５５−１５６３１１号公報
【発明の概要】
【発明が解決しようとする課題】
【０００４】
上記従来の照明装置は、器具本体の外部にプルスイッチ２６を配置するため（図１（ｂ））、この配置スペースが必要となり、反射板が大型化し、ひいては照明装置が大型化していた。
【０００５】
本発明は、照明装置を小型化するとともに、汎用性の高いプルスイッチ付きの照明装置を提供することを目的とする。
【課題を解決するための手段】
【０００６】
この発明の照明装置は、
光源ユニットと、
前記光源ユニットが取り付けられる凹部を有する器具本体と、
引っ張り部を有し、前記凹部に取り付けられたプルスイッチと、
を備え、
前記光源ユニットは、
光源モジュールと、
前記光源モジュールが取り付けられる取付面部と前記取付面部の両側に位置する一対の側面部とを有する取付部材と、
を有し、
前記プルスイッチは、
前記光源ユニットが前記器具本体に取り付けられた状態において、前記一対の側面部の間に挟まれて配置され、前記引っ張り部の可動方向が、前記取付面部に沿う方向となる。
【発明の効果】
【０００７】
本発明によれば、照明装置を小型化することができるとともに、汎用性の高いプルスイッチ付きの照明装置を提供することができる。
【図面の簡単な説明】
【０００８】
【図１】実施の形態１の図で、照明装置１０００の斜視図。
【図２】実施の形態１の図で、照明装置１０００を器具本体１００と光源ユニット２００とに分解した斜視図。
【図３】実施の形態１の図で、光源ユニット２００の斜視図。
【図４】実施の形態１の図で、器具本体１００を本体部１１０と端板１２０−１，１２０−２とに分解した斜視図。
【図５】実施の形態１の図で、図１のＡ−Ａ断面図。
【図６】実施の形態１の図で、引き紐１６０を示す図。
【図７】実施の形態１の図で、光源ユニット２００の端部を示す図。
【図８】実施の形態１の図で、図５に相当する照明装置１００２の断面図。
【図９】実施の形態１の図で、図５に相当する照明装置１００３の断面図。
【図１０】実施の形態１の図で、図５に相当する照明装置１００４の断面図。
【図１１】実施の形態１の図で、光源ユニット２００に取り付けられる連結金具２５０を示す図。
【図１２】実施の形態１の図で、器具本体１００への光源ユニット２００の取付方法を示す図。
【発明を実施するための形態】
【０００９】
実施の形態１．
図１〜図７を参照して実施の形態１の照明装置１０００を説明する。照明装置１０００の特徴は、後述する図５で示す内容にあり、
（１）プルスイッチ１４０が本体部１１０の凹部１１１の内部に収納されること、
（２）プルスイッチ１４０（引っ張り部１４３）の引っ張り方向が、横方向であること、（３）プルスイッチ１４０と、ユーザーが引っ張る引き紐１６０との間に、ワイヤー１５０（紐状体）を介在させたこと、
（４）ワイヤー１５０が本体部１１０の凹部１１１の内部から外へ出た直後に、ワイヤー１５０をワイヤー屈曲部分１５３で屈曲させて、傾斜部１１４−１の方向（図５の矢印Ｘの方向）に向かわせたこと、
等にある。以下、図面を参照して実施の形態１の照明装置１０００を説明する。
【００１０】
図１は、照明装置１０００の斜視図である。図２は、照明装置１０００を器具本体１００と光源ユニット２００とに分解した斜視図である。図３は、光源ユニット２００の斜視図である。図４は、器具本体１００を本体部１１０と端板１２０−１，１２０−２とに分解した斜視図である。図５は、図１のＡ−Ａ断面図である。なおプルスイッチ１４０、引っ張り部１４３、ワイヤー１５０、引き紐１６０は断面にしていない。引っ張り部１４３の軸の部分を延長すると、側壁部貫通孔１１３Ｈ（ブッシュ１１３Ｂ）の略中心位置となる。図５は照明装置１０００が天井板３００に設置された状態を示す。図６は引き紐１６０を示す。図７は光源ユニット２００の端部を示す図であり、端部の光源蓋部２４０（図３）を取り外した図である。
【００１１】
（照明装置１０００）
図２のように、照明装置１０００は、器具本体１００と、器具本体１００に着脱可能に取り付けられる光源ユニット２００とを備える。
【００１２】
図４のように、器具本体１００は、長尺状の本体部１１０と、本体部１１０の長手方向（図１の長手方向に同じ）の両端に取り付けられる台形状の端板１２０−１、１２０−２を備える。また、図２、図５のように、本体部１１０には、プルスイッチ１４０が配置される。プルスイッチ１４０には、ステンレス鋼材からなるワイヤー１５０が取り付けられ、ワイヤー１５０の先端には、引き紐１６０が取り付けられる。
【００１３】
（本体部１１０）
図４、図５のように、本体部１１０は、光源ユニット２００の発する光を反射する傾斜部１１４−１（第一の傾斜部）及び傾斜部１１４−２（第二の傾斜部）と、これらの傾斜部に挟まれるように形成される凹部１１１（詳細は後述する）を備える。図４、図５のように、傾斜部１１４−１には第一の貫通孔である傾斜部貫通孔１１４Ｈが形成される。
【００１４】
（凹部１１１）
図４、図５のように、凹部１１１は、長尺形状をなす平板形状の底面部１１２（平板部）と、底面部１１２の長手方向（図１）に沿う一方の端部から略垂直方向に立設する平板形状の側壁部１１３−１（第一の側壁部）と、底面部１１２の長手方向に沿う他方の端部から略垂直方向に立設する平板形状の側壁部１１３−２（第二の側壁部）からなる。図４、図５のように、凹部１１１とは、底面部１１２、側壁部１１３−１，１１３−２の）で構成され、断面がコの字形状で、長手方向の範囲１１８にわたり形成される部分である。なお、図４に示す本体部１１０（底面部１１２、側壁部１１３−１，１１３−２、傾斜部１１４−１，１１４−２）は１枚の板を折り曲げて形成されるが、複数枚の板から形成しても構わない。
側壁部１１３−１には、第二の貫通孔である側壁部貫通孔１１３Ｈ（図５）が形成される。また、図５のように、底面部１１２には、凹部１１１の外側に凸となるように凸部１７０が形成されている。凸部１７０は、例えば図２の右側のバネ部１３０の上側に２か所、左側のバネ部１３０の上側に２か所、形成されている。側壁部貫通孔１１３Ｈには、中空のブッシュ１１３Ｂが挿入されている。ブッシュ１１３Ｂは、例えば、ナイロン、ポリブチレンテレフタレート、ポリカーボネートなどの樹脂でできている。
【００１５】
（プルスイッチ１４０）
図５のように、プルスイッチ１４０は、底面部１１２に取り付けられるプルスイッチ本体部１４１（ケース）と、プルスイッチ本体部１４１の内部に設けられるロータリースイッチ１４２と、ロータリースイッチ１４２に接続されて、プルスイッチ本体部１４１の外部から引っ張られる棒状の引っ張り部１４３とを備える。引っ張り部１４３は例えば金属棒である。引っ張り部１４３の端部には、図５のように、リング状の引張側端部１４３ａが形成されている。ロータリースイッチ１４２は、引っ張り部１４３が引っ張られる度に、オン状態、オフ状態に切り替わる。ロータリースイッチ１４２は、オン状態では電源装置２７０（図３）から光源ユニット２００に電力を供給し、オフ状態では電源装置２７０から光源ユニット２００への電力供給を遮断する。引っ張り部１４３は側壁部１１３−２から側壁部１１３−１の方向（横方向、図１の短手方向）に引っ張られる。
【００１６】
（ワイヤー１５０）
ワイヤー１５０は、図５のように、凹部１１１の内部から外部に向けて側壁部貫通孔１１３Ｈを通り抜け、通り抜けた直後の部分がワイヤー屈曲部分１５３として屈曲される。ワイヤー屈曲部分１５３はＬ字形状に屈曲して形成され、両端にワイヤー側連結部１５１，１５２を有する。ワイヤー１５０は、側壁部貫通孔１１３Ｈを通り抜けた後は、側壁部１１３−１の立ち上がる方向（立設する方向、図５のＸ方向）に延びる。ワイヤー１５０は、ワイヤー屈曲部分１５３を境に、一方の側が傾斜部貫通孔１１４Ｈに挿入され、他方の側が側壁部貫通孔１１３Ｈ（ブッシュ１１３Ｂ）に挿入されている。ワイヤー側連結部１５１はプルスイッチ１４０の引っ張り部１４３の引張側端部１４３ａに取り付けられ、ワイヤー側連結部１５２は引き紐１６０の引き紐端部１６１が取り付けられている。
なお、ワイヤー１５０の両端は折り曲げられるとともに先端部がカシメ留めされてリング状に形成され、このリング状に形成された輪っか部分がワイヤー側連結部１５１、１５２をなしている。
【００１７】
（引き紐１６０）
図６は引き紐１６０を示す。引き紐１６０は、一端側である引き紐端部１６１が、輪っかを形成するように結ばれており（図６（ａ））、他端側の引き紐端部１６２はユーザーが引っ張るための摘み部１６２ａを有している。引き紐１６０の引き紐端部１６１（輪っか）は、ワイヤー側連結部１５２を相通された後（図６（ｂ））、摘み部１６２ａを引き紐端部１６１の輪っか部分を通すようにして、引き紐１６０をワイヤー側連結部１５２に結んで取りつける（図６（ｃ））。
【００１８】
（光源ユニット２００）
図７は、長尺形状をなす光源ユニット２００の組み付け関係を示すための簡略化した図である。図７は光源ユニット２００の端部を示す図であり、端部の光源蓋部２４０（図３）を取り外した状態の図である。光源ユニット２００は、コの字形状に折り曲げられて形成した取付部材２２０と、取付部材２２０に取り付けられるＬＥＤモジュール２１０と、ＬＥＤモジュール２１０を覆うように取付部材２２０に取り付けられる透光カバー２３０とを備える。また、図３のように、光源ユニット２００は、取付部材２２０に取り付けられ、ＬＥＤモジュール２１０に電力を供給する電源装置２７０を備える。
【００１９】
（動作の説明）
次に、図５を参照して、引き紐１６０を操作したときの動作について説明する。引き紐１６０を引っ張ると、ワイヤー１５０が引っ張られてこのワイヤー１５０が引っ張り部１４３を引っ張り、プルスイッチ１４０をオン、オフできる。ワイヤー１５０が引っ張られるときに側壁部貫通孔１１３Ｈの端部（縁）に直接ワイヤー１５０が接触すると、金属同士の摩擦により、ワイヤー１５０が摩耗して断線する恐れがある。しかし、ブッシュ１１３Ｂを側壁部貫通孔１１３Ｈとワイヤー１５０との間に介在させているので、ワイヤー１５０が摩耗して断線する恐れを低減できる。
【００２０】
（変形例）
図８〜図１０に実施の形態１の照明装置１０００の変形例を示す。図８〜図１０は図５に相当する断面である。
（１）図８は、傾斜部１１４−１、１１４−２が下方向（斜め下方向）に傾斜する、天井直付けタイプの照明装置１００２を示す図である。図８は図５と傾斜部１１４−１，１１４−２の傾斜が異なる他は図５と同じである。
（２）図９は、傾斜部１１４−１、１１４−２が下方向に傾斜する天井埋め込みタイプの照明装置１００３を示す図である。図９は図５と傾斜部１１４−１，１１４−２の傾斜方向が異なること、凸部１７０がないことの他は図５と同じである。
（３）図１０は、傾斜部１１４−１，１１４−２がない、いわゆるトラフ型の照明装置１００４を示す図である。図１０は傾斜部１１４−１，１１４−２が存在しないことの他は図５と同じである。
【００２１】
図８〜図１０のように、照明装置の形状が異なる場合であっても、ワイヤー１５０を備えることにより、プルスイッチ１４０のない照明装置に対して、サイズが大型化しない照明装置を提供することができる。
【００２２】
図１に示した照明装置１０００について、図１１、図１２を参照して、器具本体１００への光源ユニット２００の取付方法を述べておく。図８〜図１０の構成の照明装置も同様の構成とすることができる。
【００２３】
図１１は、光源ユニット２００（図３）に取り付けられる連結金具２５０である。図１２は、器具本体１００への光源ユニット２００の取付方法を示す図である。
【００２４】
（光源ユニット２００の装着作業）
図１２において、
（ａ）は、器具本体１００に光源ユニット２００が取り付けられる前の状態を示す。
（ｂ）は、作業者がバネ部１３０（図２）を弾性変形させた状態で光源ユニット２００の連結金具２５０にバネ部１３０の先端部Ｋを連結した状態を示す。
（ｃ）は、バネ部１３０が連結金具２５０の開口縁部２５０ａ−１−１（図１１）に対して摺動する状態を示す。
（ｄ）は、器具本体１００に光源ユニット２００が取り付けられた状態を示す。
【００２５】
（１）図１２（ａ）では、器具本体１００にバネ部１３０が取り付けられており、光源ユニット２００は器具本体１００に取り付けられていない状態である。
（２）図１２（ｂ）では、作業者が、バネ部１３０の先端部Ｋを、連結金具２５０のバネ挿入孔２５０ａ−１（図１１）の開口縁部２５０ａ−１−１に引っ掛けて、光源ユニット２００を器具本体１００に吊り下げた状態を示す。バネ部１３０は図２のように、２個のバネ部１３０が、器具本体１００の両端部分に配置されており、反対側のバネ部１３０も同様に操作し、光源ユニット２００を器具本体１００に対して略平行な状態で保持できる。
（３）図１２の（ｃ）では、作業者が光源ユニット２００を上方（天井方向）に持ち上げると、バネ部１３０の円弧部の裏面が、バネ挿入孔２５０ａ−１の開口縁部２５０ａ−１−１に対して、バネの復元力により摺動する。
（４）図１２の（ｄ）では、作業者が、器具本体１００に光源ユニット２００を差し込むことで、光源ユニット２００の器具本体１００への装着が完了する。
【００２６】
（光源ユニット２００の取り外し作業）
なお、光源ユニット２００を器具本体１００から取り外すには装着時と逆の手順によればよい。
【００２７】
以上に説明した照明装置１０００は、以下の効果を奏する。
（１）プルスイッチ１４０が本体部１１０の凹部１１１の内部に収納されるので、器具本体１００の外部に形成される構造物への影響が小さく、照明装置１０００の大きさを小さくすることができる。つまり、プルスイッチ１４０なしの照明装置の大きさと同じ程度のサイズとすることができる。
（２）プルスイッチ１４０の引っ張り方向が、横方向である。つまり、引っ張り部１４３の引っ張り方向が、側壁部１１３−２から側壁部１１３−１へ向かう方向である。言い換えれば、引っ張り部１４３の引っ張り方向が、照明装置１０００の短手方向（図１）となる。照明装置１０００では短手方向へ引っ張る場合は照明装置のサイズアップの影響が少ない。この点からも照明装置のサイズアップを抑制できる。
（３）照明装置１０００では、プルスイッチ１４０（引っ張り部１４３）と、引き紐１６０との間に、ワイヤー１５０を介在させた。よって、引き紐１６０が切れた際にも交換が容易である。
（４）照明装置１０００では、ワイヤー１５０のワイヤー側連結部１５２が傾斜部１１４−１の傾斜部貫通孔１１４Ｈを通り抜けているので、引き紐１６０が切れた場合でも、引き紐１６０をワイヤー側連結部１５２に取り付けることが容易である。
また図１０（照明器具１００４）の場合はワイヤー側連結部１５２が本体部１１０の外部に露出しているので、引き紐１６０が切れた場合でも、引き紐１６０をワイヤー側連結部１５２に取り付けることが容易である。
（５）さらにワイヤー１５０が、本体部１１０の凹部１１１の内部から外へ出た直後に、ワイヤー１５０をワイヤー屈曲部分１５３で屈曲させて、傾斜部１１４−１の立ち上がり方向（図５の矢印Ｘの方向）に向かわせて、ワイヤー１５０が傾斜部１１４−１にぶつかる傾斜部１１４−１の箇所に傾斜部貫通孔１１４Ｈを形成している。そのため、傾斜部貫通孔１１４Ｈは側壁部１１３−１の立ち上がり終了する終端部分であり傾斜部が始まる終端部分である傾斜部開始位置に形成されるので、傾斜部の傾斜の異なる照明装置（照明装置１００２，１００３）のそれぞれに対して、傾斜部の傾斜の違いに左右されず、傾斜部貫通孔１１４Ｈを形成することができる。よって傾斜部の傾斜の違いに左右されず、照明装置のサイズアップを抑制できる。
【００２８】
以上の照明装置では、引っ張り部１４３を棒状体として説明したが、これに限らず、引っ張り部１４３は紐状のものを用いても構わない。この場合、例えば、引っ張り部１４３の線径を引き紐１６０の線径よりも太くする。つまり、引っ張り部１４３の紐状のものの強度を、引き紐１６０の強度よりも強くする。これによって、引き紐１６０が切れるような強さで引っ張られる場合であっても、引っ張り部１４３が断線することを抑制できる。
【００２９】
以上の実施の形態では、以下の照明装置を説明した。
長尺形状をなす平板形状の平板部と、前記平板部の長手方向に沿う一方の端部から立ち上がり、貫通孔が形成された平板形状の第一の側壁部と、前記平板部の長手方向に沿う他方の端部から立ち上がる平板形状の第二の側壁部とから成る凹部を有する器具本体と、
長尺形状をなし、前記凹部に取り付けられる光源ユニットと、
前記凹部に収納され、前記第二の側壁部から前記第一の側壁部に向かう引張方向に引っ張られる引っ張り部を有し、前記引っ張り部が前記引張方向に引っ張られるたびに、前記光源ユニットへの電力の供給と遮断とを切り替えるプルスイッチと、
前記凹部の内部から外部に向けて前記第一の側壁部に形成された前記貫通孔を通り抜ける紐状体であって、一方の端部が前記プルスイッチの前記引っ張り部に接続され、前記貫通孔を通り抜けた部分が屈曲されて前記第一の側壁部の立ち上がる方向に延びる紐状体とを備えたことを特徴とする照明装置。
【００３０】
以上の実施の形態では、以下の照明装置を説明した。
前記紐状体は、
ワイヤーであることを特徴とする照明装置。
【００３１】
以上の実施の形態では、以下の照明装置を説明した。
前記器具本体は、
前記第一の側壁部に形成された前記貫通孔に配置された中空のブッシュを備え、
前記紐状体は、
前記ブッシュを通り抜けることを特徴とする照明装置。
【００３２】
以上の実施の形態では、以下の照明装置を説明した。
前記器具本体は、
前記第一の側壁部の立ち上がり終端となる端部から延び、前記光源ユニットの発する光を反射する平板形状の第一の傾斜部と、
前記第二の側壁部の立ち上がり終端となる端部から延び、前記光源ユニットの発する光を反射する平板形状の第二の傾斜部と
を備え、
前記第一の傾斜部は、
貫通孔を有し、
前記紐状体は、
他方の端部が、前記第一の傾斜部の前記貫通孔を通り抜けることを特徴とする照明装置。
【００３３】
以上の実施の形態では、以下の照明装置を説明した。
前記照明装置は、
前記紐状体の前記他方の端部に接続される紐状の引き紐を備えたことを特徴とする照明装置。
【００３４】
以上の実施の形態では、以下の照明装置を説明した。
前記プルスイッチの前記引っ張り部は、
棒状であることを特徴とする照明装置。
【００３５】
以上の実施の形態では、以下の照明装置を説明した。
前記プルスイッチの前記引っ張り部は、
紐状であることを特徴とする照明装置。
【符号の説明】
【００３６】
１００  器具本体、１１０  本体部、１１１  凹部、１１２  底面部、１１３−１，１１３−２  側壁部、１１３Ｈ  側壁部貫通孔、１１３Ｂ  ブッシュ、１１４−１，１１４−２  傾斜部、１１４Ｈ  傾斜部貫通孔、１２０−１，１２０−２  端板、１４０  プルスイッチ、１４１  プルスイッチ本体部、１４２  ロータリースイッチ、１４３  引っ張り部、１４３ａ  引張側端部、１５０  ワイヤー、１５１，１５２  ワイヤー側連結部、１５３  ワイヤー屈曲部分、１６０  引き紐、１６１，１６２  引き紐端部、１７０  凸部、２００  光源ユニット、２１０  ＬＥＤモジュール、２２０  取付部材、２３０  透光カバー、２４０  光源蓋部、２７０  電源装置、３００  天井板、１０００，１００２，１００３，１００４  照明装置。
【図１】
2019050227.tif 000003
【図２】
2019050227.tif 000004
【図３】
2019050227.tif 000005
【図４】
2019050227.tif 000006
【図５】
2019050227.tif 000007
【図６】
2019050227.tif 000008
【図７】
2019050227.tif 000009
【図８】
2019050227.tif 000010
【図９】
2019050227.tif 000011
【図１０】
2019050227.tif 000012
【図１１】
2019050227.tif 000013
【図１２】
2019050227.tif 000014